(57)【特許請求の範囲】
【請求項１】
四角形状の蓋体（１）の頂板（２）周縁部に下面開口の嵌合溝部（６）を設けて、該嵌合溝部を容器体（２０）の周壁（２１）へ嵌合させると共に、前記蓋体（１）の少なくとも対向する２つの角部における嵌合溝部（６）の外側壁（５）に、弾性変形が自在で、断面形状が外方へ凸状に形成されている薄肉部（８）を設けたことをことを特徴とする保管容器。
【請求項２】
前記嵌合溝部（６）を、前記頂板（２）周縁から起立する内側壁（３）と、該内側壁上端から外向きフランジ（４）を介して垂下する外側壁（５）とで形成すると共に、前記容器本体の周壁（２１）上部外面に第１嵌合突条（２２）を周設して、該第１嵌合突条（２２）へ前記嵌合溝部（６）の上部を嵌合させ、また、前記蓋体（１）の角部を除く前記嵌合溝部（６）部分の外側壁（５）内面に第２嵌合突条（７）を形成して、該第２嵌合突条（７）を前記容器本体周壁（２１）の第１嵌合突条（２２）下端へ係合させたことを特徴とする請求項１記載の保管容器。
【請求項３】
また、本発明は、前記薄肉部（８）を、前記蓋体（１）の対向する２つの角部における嵌合溝部（６）の外側壁（５）に設けるとともに、該薄肉部（８）を有しない残りの２つの角部の内の１つに摘み部を設けたことを特徴とする請求項１又は２記載の保管容器。
【請求項４】
前記薄肉部（８）を前記蓋体（１）の３つの角部に設けたことを特徴とする請求項１又は２記載の保管容器。
【請求項５】
前記薄肉部（８）を前記蓋体（１）の４つの角部に設けたことを特徴とする請求項１又は２記載の保管容器。
【請求項６】
前記薄肉部（８）は側方視三角形状に形成されていることを特徴とする請求項１から５のいずれか１項記載の保管容器。
【発明の詳細な説明】
【技術分野】
【０００１】
本発明は食品保管用等に使用される保管容器に関する。
【背景技術】
【０００２】
食品を入れるポリエチレン製の密封容器等の食品用保管容器は内容物を保護するため密閉性が重要であることから、例えば、蓋体側壁と容器本体周壁とのそれぞれに突部を設けて、これら突部を嵌合させることで蓋体の嵌合力を高めることが行われている(特許文献１)。が、そうすると蓋が開けにくくなるため、蓋を弾性変形容易な形状とすることで蓋を開けやすくすることが行われている。
【先行技術文献】
【特許文献】
【０００３】
【特許文献１】特開２００４−５９０５５号公報
【発明の概要】
【発明が解決しようとする課題】
【０００４】
しかしながら、容器が四角形状の場合には、蓋を開けようとすると、摘み部が設けられた蓋角部の両隣の角部に内方向への引張力が作用するため、蓋側壁の角部に位置する突部が内方へ引寄せられて容器本体周壁の角部に位置する突部下端へさらに食い込むため、開蓋時に蓋の嵌合力が増大するという課題があった。
【０００５】
本発明は、上記課題を解決するためになされたもので、開蓋時における蓋の嵌合力の増大防止を図った保管容器を提供することを目的とする。
【課題を解決するための手段】
【０００６】
上記課題を解決するために、本発明は、四角形状の蓋体1 の頂板２周縁部に下面開口の嵌合溝部６を設けて、該嵌合溝部を容器体２０の周壁２１へ嵌合させると共に、前記蓋体１の少なくとも対向する２つの角部における嵌合溝部６の外側壁５に、弾性変形が自在で、断面形状が外方へ凸状に形成されている薄肉部８を設けたことを特徴とする。
【０００７】
また、本発明は、前記嵌合溝部６を、前記頂板２周縁から起立する内側壁３と、該内側壁上端から外向きフランジ４を介して垂下する外側壁５とで形成すると共に、前記容器本体の周壁２１上部外面に第１嵌合突条２２を周設して、該第１嵌合突条２２へ前記嵌合溝部６の上部を嵌合させ、また、前記蓋体１の角部を除く前記嵌合溝部６部分の外側壁５内面に第２嵌合突条７を形成して、該第２嵌合突条７を前記容器本体周壁２１の第１嵌合突条２２下端へ係合させたことを特徴とする。
【０００８】
また、本発明は、前記薄肉部８を、前記蓋体１の対向する２つの角部における嵌合溝部６の外側壁５に設けるとともに、該薄肉部８を有しない残りの２つの角部の内の１つに摘み部を設けたことを特徴とする。
【０００９】
さらに、本発明は、前記薄肉部８を前記蓋体１の３つの角部に設けたことを特徴とする。
【００１０】
さらに、本発明は、前記薄肉部８を前記蓋体１の４つの角部に設けたことを特徴とする。
【００１２】
さらに、本発明は、前記薄肉部８は側方視三角形状に形成されていることを特徴とする。
【発明の効果】
【００１３】
本発明は、蓋体の角部に薄肉部８を設けており、この肉薄部は弾性変形自在にかつ断面形状が外方へ凸状に形成したので、開蓋時に蓋体の一部が上方へ弾性変形して頂板２に内方向への引張力が作用してもこの引張力は薄肉部８の弾性変形によって低減されるため、蓋体の角部に内方への引張力が作用しても蓋体の嵌合溝部６の外側壁５が内方へ弾性変形して容器本体周壁２１の第１嵌合突条２２へ圧接することが防止されることとなって開けにくさが解消される。
【００１４】
また、本発明は、蓋体の３つの角部に薄肉部８を設けたので、真中に位置する角部の薄肉部下端に指を掛けて外方へ引けば薄肉部が伸びて外方へ広がるため、指を角部内へ差し込み掛けることが容易であり、このように薄肉部８を指掛け用の摘み部として利用することができるため、外方へ突出する摘み部を突設する必要がなく、したがって、容器自体を収納する際に摘み部が邪魔になるということがない。
【００１５】
さらに、本発明は、前記薄肉部８を前記蓋体１の４つの角部に設けたので、開蓋に際してはどの薄肉部８も摘み部として利用することができ、したがって特定の摘み部を選択する必要がなく、換言すれば薄肉部が３つの場合には真中に位置する薄肉部を選択しなければならないのに対し、４つの場合には開蓋に際して特定の薄肉部の選択という考慮を必要としないことから開蓋の容易性が達成される。
【００１７】
さらに、本発明は、蓋体の頂板２周縁部に嵌合溝部６を設けて、該嵌合溝部を容器本体の周壁２１へ嵌合させたので、容器の密閉性がよい。
【図面の簡単な説明】
【００１８】
【図１】本発明に係る保管容器の斜視図である。
【図２】図１のＡ−Ａ線に沿う断面図である。
【図３】図１のＢ−Ｂ線に沿う断面図である。
【図４】薄肉部に指を掛けて引いた状態を示す作用説明図である。
【図５】図４の斜視図である。
【発明を実施するための形態】
【００１９】
以下、本発明の実施の形態について、図面を参照しながら詳細に説明する。
【００２０】
１は蓋体で、四角形状の頂板２の周縁から内側壁３を起立させ、内側壁３の上端から外向きフランジ４を介して外側壁５を垂下することにより内側壁３と外向きフランジ４と外側壁５とで嵌合溝部６を形成する。嵌合溝部６は後述の容器本体の第１嵌合突条２２へ嵌合させる。
【００２１】
図３に示すように蓋体１の角部を除く外側壁５の上下方向中間部内面に第２嵌合突条７を周設すると共に、蓋体１の角部１０、１１、１２、１３に弾性変形自在な薄肉部８を形成する。薄肉部８は断面形状が外方へ凸状であれば特に限定はないが、通常はＵ字状、Ｖ字状、コ字状等に形成する。また薄肉部８は底辺が下方に位置する側方視三角形状であることが好ましい。
【００２２】
薄肉部８の数には特に限定がないが、薄肉部８は蓋体１を開ける際に周方向へ伸びることで開蓋を容易にするためのものであるから、この目的を達成し得る程度の数であればよく、また薄肉部８間の間隔もさらには薄肉部８の上端８ａの位置も同様の観点から決めることができる。
【００２３】
薄肉部８は、上記のように蓋体１の４つの角部１０、１１、１２、１３のすべてに設けてもよく、または３つの角部１０、１１、１２だけに設けてもよい。これらの場合には１つの角部(例えば、角部１０)に位置する薄肉部８は開蓋する際に、指を掛けるために利用することができる。なお、薄肉部８を３つの角部１０、１１、１２だけに設ける場合には、真中に位置する角部１０を指掛け部として利用する。薄肉部８の数は上記に限らず、蓋体１の対向する２つの角部にのみ設けることも可能である。この場合には薄肉部８を有しない残りの２つの角部の内の１つに摘み部(図示せず)を設ける。
【００２４】
２０は容器本体で、周壁２１の上端部外面に第１嵌合突条２２を周設する。蓋体１を容器本体２０へ嵌合させると、図３に示すように嵌合溝部6の上部が第１嵌合突条２２へ嵌合すると共に、第２嵌合突条７が第１嵌合突条２２下端へ嵌合する。
【００２５】
次に本実施形態の作用について説明する。
蓋体１を開けるには、蓋体１の４つの角部１０、１１、１２、１３に薄肉部８が設けられている場合、任意の１つの角部に設けられた薄肉部８下端に指を掛けて外方へ引けばよく、すると図４、５に示すように薄肉部８が伸びて外方へ広がるため、指を角部内へ差し込んで掛けることができる。このように蓋体１の４つの角部１０、１１、１２、１３に薄肉部８が設けられている場合には、いずれの薄肉部も指掛け用として利用することができる。
【００２６】
次いで、薄肉部８を持ち上げると、指を掛けた角部側の蓋体部分が上方へ弾性変形するため、頂板２の角部に内方向への引張力が作用するが、この引張力は指を掛けた薄肉部８の両隣に位置する角部１１、１２に設けた薄肉部の弾性変形によって低減されるため、蓋体の角部に内方への引張力が作用しても蓋体の嵌合溝部６の外側壁５が内方へ弾性変形して容器本体周壁２１の第１嵌合突条２２へ圧接することが防止されることとなって開けにくさが解消される。
【００２７】
なお、蓋体1の材質としてはポリエチレン等の柔軟な材料を使用する。
【産業上の利用可能性】
【００２８】
本発明は、種々の内容物を収納するのに使用される保管容器の分野に利用することができる。
【符号の説明】
【００２９】
１  蓋体
２  頂板
３  内側壁
４  外向きフランジ
５  外側壁
６  嵌合溝部
６ａ  嵌合溝部の嵌合部分
７  第２嵌合突条
８  薄肉部
１０、１１、１２、１３角部
２０  容器本体
２１  周壁
２２  第１嵌合突条
【図１】
0005435575.tif 000002
【図２】
0005435575.tif 000003
【図３】
0005435575.tif 000004
【図４】
0005435575.tif 000005
【図５】
0005435575.tif 000006